(57)【要約】【課題】容易に所望形状に発光させることが可能で、かつ新規な発光を得ることが可能な発光モジュール及び照明器具を提供する。【解決手段】実施形態によれば、発光パネルと、反射部と、を含む発光モジュールが提供される。前記発光パネルは、第１電極と、第２電極と、有機層と、を含む。前記第２電極は、前記第１電極と対向する。前記第２電極は、反射部と光透過部とを有する。前記有機層は、前記第１電極と前記第２電極との間に設けられる。前記有機層は、発光層を有する。前記反射部は、前記発光パネルの第１電極と対向して設けられる。【選択図】図１
2015185603.tif 000002
【特許請求の範囲】
【請求項１】
第１電極と、前記第１電極と対向し、反射部と光透過部とを有する第２電極と、前記第１電極と前記第２電極との間に設けられ発光層を有する有機層と、を含む発光パネルと；
前記発光パネルの第１電極と対向して設けられた反射部と；
を備えた発光モジュール。
【請求項２】
前記発光パネルは、前記第１電極側に位置する第１面および前記第２電極側に位置する第２面を有し、消灯時は、前記第１面側から前記発光パネルを見たときに前記第２面側が透過するとともに、前記第２面側から前記発光パネルを見たときに前記第１面側が透過し、点灯時は、前記第１面が発光するとともに、前記第２面側から前記発光パネルを見たときに前記第１面側が透過する請求項１記載の発光モジュール。
【請求項３】
前記反射部は、鏡面反射性を有し、前記第１面から出光した光を鏡面反射し、前記第１電極、前記有機層、前記第２電極を介して、前記第２面から前記光を出光させる請求項２記載の発光モジュール。
【請求項４】
前記反射部は、前記第１面に接触して設けられ、点灯時、前記第１面は、前記反射部が形成されていない領域が発光し、前記第２面は前記反射部に対向する領域が発光するとともに、前記反射部に対向しない領域では前記第１面側が透過して見える請求項３記載の発光モジュール。
【請求項５】
請求項１〜４のいずれか１つに記載の発光モジュールを備えた照明器具。
【発明の詳細な説明】
【技術分野】
【０００１】
本発明の実施形態は、発光モジュール及び照明器具に関する。
【背景技術】
【０００２】
例えば、ＯＬＥＤ（Organic Light Emitting Diode）を光源とする発光モジュール及び照明器具がある。その中、通常、銀やアルミニウムなどの不透明な材料で構成する陰極をストライプ状などの適度な空隙のある形状とし、ＩＴＯなどからなる透過性の陽極とで有機層を挟んで構成したＯＬＥＤがある。このＯＬＥＤは、消灯時は透過性、すなわち陽極側からも陰極側からもＯＬＥＤを介して反対側を見ることができ、点灯時は片側は発光、片側は透過性、すなわち陽極側は発光し、陰極側はＯＬＥＤを介して反対側を見ることができるものである。
【０００３】
ここで、一般的なＯＬＥＤは、四角形であり、円形や円弧を含む形状はカット方法や素子構造自体の見直しが必要となり、異形に発光するＯＬＥＤの製作には課題がある。また、ＯＬＥＤに対しては様々な用途が期待されており、斬新な発光が得られることが望まれている。
【先行技術文献】
【特許文献】
【０００４】
【特許文献１】特開２００８−１８６５９９号公報
【発明の概要】
【発明が解決しようとする課題】
【０００５】
本発明の実施形態は、容易に所望形状に発光させることが可能で、かつ新規な発光を得ることが可能な発光モジュール及び照明器具を提供する。
【課題を解決するための手段】
【０００６】
本発明の実施形態によれば、発光パネルと、反射部と、を含む発光モジュールが提供される。前記発光パネルは、第１電極と、第２電極と、有機層と、を含む。前記第２電極は、前記第１電極と対向する。前記第２電極は、反射部と光透過部とを有する。前記有機層は、前記第１電極と前記第２電極との間に設けられる。前記有機層は、発光層を有する。前記反射部は、前記発光パネルの第１電極と対向して設けられる。
【発明の効果】
【０００７】
本発明の実施形態によれば、容易に所望形状に発光させることが可能で、かつ新規な発光を得ることが可能な発光モジュール及び照明器具が提供される。
【図面の簡単な説明】
【０００８】
【図１】図１（ａ）及び図１（ｂ）は、第１の実施形態に係る発光モジュールを示す模式図である。
【図２】図２（ａ）及び図２（ｂ）は、第１の実施形態に係る発光モジュールの一部を示す模式図である。
【図３】図３（ａ）及び図３（ｂ）は、第１の実施形態に係る発光モジュールを示す模式図である。
【図４】図４（ａ）〜図４（ｃ）は、第１の実施形態に係る照明器具を示す模式図である。
【図５】図５（ａ）及び図５（ｂ）は、第２の実施形態に係る発光モジュールを示す模式図である。
【図６】図６（ａ）及び図６（ｂ）は、第２の実施形態に係る発光モジュールを示す模式図である。
【発明を実施するための形態】
【０００９】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１０】
（第１の実施形態）  
図１は、第１の実施形態に係る発光モジュールを例示する模式図である。  
図１（ａ）は、発光モジュール１５を例示する模式的平面である。図１（ｂ）は、図１（ａ）のＡ１−Ａ２線断面を例示している。
【００１１】
発光モジュール１５は、発光パネル１０と、筐体４０（モジュール外郭）と、を含む。発光パネル１０は、第１面１０ａ及び第２面１０ｂを有する。第２面１０ｂは、第１面１０ａと反対側の面である。例えば、第１面１０ａ及び第２面１０ｂの形状は、四角形である。第１面１０ａは、発光面１０ｃを含む。
【００１２】
発光パネル１０は、筐体４０に収容されている。例えば、発光パネル１０の端部が筐体４０に接触する。筐体４０は、本体部４１と、開口部４２と、反射部４３と、を含む。
【００１３】
筐体４０は、発光パネル１０の第１面１０ａの一部に反射部４３を介して接触する第１面４０ａと、発光パネル１０の側面に接触する第２面４０ｂと、を有する。第１面４０ａ及び第２面４０ｂは、本体部４１に形成されている。発光パネル１０が第１面４０ａ及び第２面４０ｂによって筐体４０に接触するので、発光パネル１０は筐体４０に保持される。
【００１４】
例えば、１枚のベース基板内に陽極、有機層及び陰極を形成し、ベース基板と封止部材とを封止することで複数の発光パネル１０が形成される。複数の発光パネル１０は、スクライブ装置等で切断されて個々に分けられる。
【００１５】
図１（ａ）に表されるように、発光パネル１０の発光面１０ｃの形状は、例えば、（円状及び楕円状を含む）円形状である。発光パネル１０の第１面１０ａの形状は、四角形である。筐体４０の開口部４２の形状を円形状に形成することで、発光パネル１０の発光面１０ｃの形状が円形状に形成される。
【００１６】
反射部４３は、発光パネル１０の第１面１０ａの一部に対向するように、筐体４０の第１面４０ａ上に形成されている。反射部４３は、例えば、発光パネル１０の第１面１０ａの一部に接触するように、発光パネル１０と本体部４１との間に形成されている。反射部４３は、発光パネル１０の照射面側に設置された筐体４０の内側に形成される。
【００１７】
例えば、反射部４３は、発光パネル１０の第１面１０ａの少なくとも１つの角部等に対向するように、筐体４０の第１面４０ａ上に任意の形状で形成される。本実施形態では、反射部４３は、正方形の中心領域を円形にくり貫いた形状であり、発光パネル１０の第１面１０ａの各角部および端縁に対向するように、筐体４０の第１面４０ａ上に形成される。
【００１８】
反射部４３は、例えば、発光パネル１０の第１面１０ａの端部に対向するように、筐体４０の第１面４０ａ上に任意の形状で形成できる。反射部４３は、発光パネル１０の第１面１０ａの４辺の少なくとも１つに対向するように、筐体４０の第１面４０ａ上に矩形状で形成されても良い。
【００１９】
反射部４３は、例えば、発光パネル１０の第１面１０ａの周縁部に対向するように、筐体４０の第１面４０ａ上に枠状で形成されても良い。反射部４１は、発光パネル１０の第１面１０ａの発光面１０ｃを除いた部分に対向するように、筐体４０の第１面４０ａ上に形成されても良い。反射部４３は、発光パネル１０の照射面側に設置された筐体４０の内側に任意の形状で形成できる。
【００２０】
発光パネル１０の第１面１０ａから照射された光が、筐体４０の第１面４０ａ上に形成された反射部４３によって鏡面反射又は拡散反射される。反射部４３によって反射された光は、発光パネル１０の第２面１０ｂ側に回り込む。
【００２１】
反射部４３は、例えば、銀（Ａｇ）又はアルミニウム（Ａｌ）等のシートを筐体４０の第１面４０ａ上に設けることで形成される。反射部４３は鏡面反射性を有しているのが望ましく、発光パネル１０の第１面１０ａから照射された光が反射部４３によって鏡面反射される。「鏡面反射性」とは、入射角θで入射した光が、反射角θで反射するような面を意味するが、反射角がθ±５°等、多少のばらつきを含むものである。反射部４３は、筐体４０とは別に、アルミニウム蒸着によって形成しても良い。
【００２２】
反射部４３は、例えば、微細な凹凸構造及び、酸化マグネシウムや、硫酸バリウムなどの白色拡散反射塗料を筐体４０の第１面４０ａ上に設けることが許容される。このように反射部４３を形成すると、発光パネル１０の第１面１０ａから照射された光が反射部４３によって拡散反射される。
【００２３】
反射部４３は、例えば、発光パネル１０の第１面１０ａから照射された光を主として鏡面反射するように、筐体４０の第１面４０ａ上に形成される。反射部４３によって発光パネル１０の第１面１０ａから照射された光が鏡面反射するために、筐体４０の第１面４０ａ上に反射部４３を設ける方法が用いられる。
【００２４】
反射部４３は、発光パネル１０の端面、つまりパネルの厚み部分に形成しても良い。この場合には、端面から漏れる光を利用できるため、発光効率が向上する。また、反射部４３は、例えば発光パネル１０との間に、屈折率調整部材を介して設けられても良い。発光パネル１０の基板がガラスであれば、屈折率１．５程度の屈折率調整オイルなどの光学部材を用いることができる。これにより、ガラス基板内を導波して外部に取り出すことができない光を外部に取り出すことができる。
【００２５】
図２（ａ）及び図２（ｂ）は、第１の実施形態に係る発光モジュールの一部を例示する模式的断面図である。
図２（ａ）において、発光パネル１０の断面図が示されている。図２（ｂ）において、発光パネル１０の平面図が示されている。
【００２６】
発光パネル１０には、基板２０、第１電極２１、第２電極２２、有機層３０、封止部材２４、封止体２５、及び、絶縁膜２６が設けられる。有機層３０は、発光層３２を含む。
【００２７】
基板２０は、第１面２０ａ及び第２面２０ｂを有する。第２面２０ｂは、第１面２０ａとは反対側の面である。封止部材２４は、第１面２４ａ及び第２面２４ｂを有する。第２面２４ｂは、第１面２４ａとは反対側の面である。基板２０の第１面２０ａは、封止部材２４の第１面２４ａと対向している。例えば、第１面２０ａ、２４ａと、第２面２０ｂ及び２４ｂの形状は、四角形である。
【００２８】
基板２０の第２面２０ｂは、発光パネル１０の第１面１０ａに対応する。封止部材２４の第２面２４ｂは、発光パネル１０の第２面１０ｂに対応する。
【００２９】
例えば、基板２０の上に、第２電極２２が設けられる。第２電極２２と基板２０との間に、第１電極２１が設けられる。有機層３０は、第１電極２１と第２電極２２との間に設けられる。有機層３０の側面と第２電極２２との間、及び、第１電極２１の端部と第２電極２２との間には、絶縁膜２６が設けられる。
【００３０】
基板２０の上に、封止部材２４が設けられている。基板２０と封止部材２４との間に、封止体２５が設けられる。封止体２５は、基板２０と封止部材２４との間の領域の周囲において、連続して設けられる。
【００３１】
基板２０は、例えば、光透過性である。基板２０は、例えば、透明基板である。例えば、基板２０として、ガラス基板が用いられる。基板２０には、例えば、透明樹脂基板（例えば透明プラスチック基板など）が用いられる。
【００３２】
第１電極２１は、光透過性である。第１電極２１は、例えば、透明電極である。例えば、第１電極２１には、ＩＴＯ（Indium Tin Oxide）、ＩＺＯ（Indium Zinc Oxide）または導電性高分子などが用いられる。
【００３３】
第２電極２２は、例えば、銀（Ａｇ）膜またはアルミニウム（Ａｌ）膜などが用いられる。したがって、光透過率は、基板２０の光透過率よりも低い。第２電極２２の光透過率は、例えば、第１電極２１の光透過率よりも低い。第２電極２２は、例えば、光反射性である。
【００３４】
第２電極２２は、反射部２２ａと光透過部２２ｂとを有している。反射部２２ａは、給電と反射の機能を有する膜である。光透過部２２ｂは光を透過させる部分である。この実施形態では、光透過部２２ｂは開口である。開口は、第２電極２２を細線状もしくは格子状に形成することで得ることができる。なお、金属膜は厚みを薄くすることで透過性が得られるため、例えば銀膜の厚みを１０〜３０ｎｍとすることで光透過部２２ｂを形成し、銀膜の厚みを３０ｎｍ〜２００ｎｍとすることで反射部２２ａを形成しても良い。また、反射部２２ａと光透過部２２ｂの幅および割合は、所望により調整可能である。
【００３５】
有機層３０には、例えば、正孔輸送層３１と、発光層３２と、電子輸送層３３と、が設けられている。例えば、第１電極２１の上に正孔輸送層３１が設けられる。正孔輸送層３１の上に発光層３２が設けられる。発光層３２の上に電子輸送層３３が設けられる。例えば、第２電極２２は、基板２０の表面の一部の上にも設けられる。第２電極２２は、基板２０の表面と有機層３０の上面との間の段差を覆うように連続して設けられる。
【００３６】
発光パネル１０においては、例えば、第２電極２２から、電子輸送層３３を介して、発光層３２へ電子が注入される。例えば、第１電極２１から、正孔輸送層３１を介して、発光層３２へ正孔が注入される。発光層３２において、注入された電子と注入された正孔とが、再結合する。再結合に伴って、発光層３２から光が放出される。
【００３７】
本明細書において、「透明」とは、発光層３２の発光光に対して透過性を有することを表す。「透明」とは、光透過率が１００％であることには限らない。例えば、波長５５０ｎｍにおける透過率が２０％以上、望ましくは３０％以上であることを意味する。
【００３８】
「不透明」とは、発光層３２から放出された光に対して遮光性または反射性を有することを表す。「不透明」とは、発光層３２から放出された光に対する透過率が０％であることには限らない。「不透明」とは、「透明」な領域よりも透過率が相対的に低い場合も表す。例えば、波長５５０ｎｍにおける透過率が２０％以下、望ましくは１５％以下であることを意味する。
【００３９】
この例では、第２電極２２は、発光層３２から放出された光を実質的に透過させない厚さを有している。例えば、第２電極２２は、光に対して高い反射性を有する。発光層３２から放出され、第２電極２２側に向かう光は、第２電極２２で反射して、光透過性の第１電極２１を通過する。発光パネル１０においては、発光層３２から放出された光は、基板２０側から取り出される。
【００４０】
封止部材２４は、例えば、光透過性である。例えば、封止部材２４は、有機層３０から出射する光を透過させる。封止部材２４として、ガラス基板及び透明樹脂の少なくともいずれかが用いられる。実施形態において、封止部材２４は、非光透過性でも良い。封止体２５には、例えば、樹脂が用いられる。
【００４１】
発光面１０ｃの形状を円形状等にするためには、絶縁膜２６をフォトリソグラフィーなどにより円形にパターニングし、絶縁層２６で発光面１０ｃを規定する。基板の外形は四角形であるので、基板面積に対する発光面１０ｃの面積の比率が低下する。また、外形を円形とする場合、発光パネル１０は、スクライブ装置等によって円形状や星型など任意の形状に切断される。このような場合、スクライブ装置は、円形状等の円弧や星型等を含む形状に基づいて制御される。発光パネル１０を四角状に切断する場合と比較してスクライブ装置の制御が複雑になる場合がある。また、発光パネル１０を円形状に形成するために、電極への配線など発光パネル１０内に設けられている素子の構造を考慮する必要がある。  
【００４２】
発光パネル１０は上述のような構造であるため、消灯時は、第１面１０ａ側から発光パネル１０を見たときに第２面１０ｂ側が透過し、第２面１０ｂ側から発光パネル１０を見たときに第１面１０ａ側が透過する。一方、点灯時は、第１面１０ａは発光するが、第２面１０ｂ側から発光パネル１０を見たときには第１面１０ａ側が透過する、片面照射型でかつ透明なパネルとなる。
【００４３】
本実施形態では、この片側発光パネルの第１面１０ａ側に反射部４３を設けることにより、第１面１０ａを円形状等の任意の形状に発光させることができる。
【００４４】
図３（ａ）及び図３（ｂ）は、第１の実施形態に係る発光モジュールを例示する模式図である。
図３（ａ）は、図１（ａ）の場合、発光時における第１面１０ａの発光を表している。図３（ｂ）は、図１（ａ）の場合、第２面１０ｂの発光を表している。図の斜線は、発光している部分を表している。図３（ａ）及び図３（ｂ）は、点灯時に第１面１０ａ側及び第２面１０ｂ側から見た図である。
【００４５】
図３（ａ）のように、第１面１０ａ側は、反射部４３が形成されていない領域を発光させることができる。例えば、円形状等の任意の形状に発光させることができる。筐体４０の開口部４２を発光パネル１０の形状（例えば、四角状）と異なる形状に形成することで、円形状等の任意の形状に形成された発光面１０ｃからの発光を容易に得ることができる。
【００４６】
一方、反射部４３によって、通常は発光しない片側発光パネルの第２面１０ｂ側も発光させることができる。その発光は、反射部４３の形状に依存する。すなわち、図３（ｂ）のように、反射部４３に対向する第２面１０ｂの領域が発光する。ただし、第２面１０ｂの領域の発光は、第１電極２１、有機層３０、第２電極２２を介して、第２面１０ｂから光が出光することになるため、反射や透過のロスにより、第１面１０ａの発光輝度よりも低くなる。なお、発光中、反射部４３に対向しない領域、つまり第１面１０ａにおいては発光している領域では、第２面１０ｂ側から発光パネル１０を介して第１面１０ａ側を視認することができる。
【００４７】
このように、本実施形態では容易に所望形状に発光させることができるとともに、新規な発光をする発光モジュールを実現することができる。
【００４８】
図４（ａ）〜図４（ｃ）は、第１の実施形態に係る照明器具を例示する模式図である。  図４（ａ）は、照明器具１００を表している。図４（ｂ）は、図４（ａ）の場合、発光時における第１面１０ａの発光を表している。図４（ｃ）は、図４（ａ）の場合、第２面１０ｂの発光を表している。図の斜線は、発光している部分を表している。図４（ｂ）及び図４（ｃ）は、点灯時に第１面１０ａ側及び第２面１０ｂ側から見た図である。
【００４９】
図４（ａ）〜図４（ｃ）に表されるように、例えば、各筐体４０に収容されている複数の発光パネル１０を平面上に配置されて照明器具１００が形成される。この実施形態では、第１実施形態の発光パネル１０を３つ縦に並べ、そのうち真ん中の発光パネル１０は第１面１０ａと第２面１０ｂを反転させて配置している。そのため、この照明器具１００の第１面１０ａおよび第２面１０ｂは、それぞれ図のように発光する。発光パネル１０の数および配置レイアウトは、図４に示す例に限るものではない。
【００５０】
本実施形態によれば、容易に所望形状に発光させることができ、かつ新規な発光を得ることができる発光モジュール及び照明器具が提供される。
【００５１】
（第２の実施形態）
図５（ａ）及び図５（ｂ）は、第２の実施形態に係る発光モジュールを例示する模式図である。  
図６（ａ）及び図６（ｂ）は、第２の実施形態に係る発光モジュールを例示する模式図である。
【００５２】
図５（ａ）は、発光モジュール１５を例示する模式的平面である。図５（ｂ）は、図５（ａ）のＡ１−Ａ２線断面を例示している。図６（ａ）は、図５（ａ）の場合、発光時における第１面１０ａの発光を表している。図６（ｂ）は、図５（ａ）の場合、第２面１０ｂの発光を表している。図の斜線は、発光している部分を表している。図６（ａ）及び図６（ｂ）は、点灯時に第１面１０ａ側及び第２面１０ｂ側から見た図である。
【００５３】
図５（ａ）に表されるように、発光パネル１０の発光面１０ｃの形状は、例えば、円弧を含む形状である。発光パネル１０の第１面１０ａの形状は、四角形である。筐体４０の開口部４２の形状を、円弧を含む形状に形成することで、発光パネル１０の発光面１０ｃの形状を、円弧を含む形状に形成する。
【００５４】
発光面１０ｃが円弧を含む形状を有する発光パネル１０と、発光面１１ｃが四角形状を有する発光パネル１１とが配置されても良い。
【００５５】
発光モジュール１５において、反射部４３は、発光パネル１０の第１面１０ａの一部に対向するように、筐体４０の第１面４０ａ上に形成されている。反射部４３は、例えば、発光パネル１０の第１面１０ａの一部に接触するように、発光パネル１０と本体部４１との間に形成されている。反射部４３の外側には、光吸収部４４が形成されている。反射部４３および光吸収部４４は、発光パネル１０の照射面側に設置された筐体４０の内側に形成される。
【００５６】
この実施形態では、点灯中、第１面１０ａおよび第２面１０ｂは、それぞれ図６（ａ）及び図６（ｂ）のような発光となる。第２面１０ｂは、光吸収部４４により四角形と半円形を組み合わせた形状の外縁がライン状に発光するように構成される。
【００５７】
例えば、反射部４３は、発光パネル１０の第１面１０ａの少なくとも１つの角部に対向するように、筐体４０の第１面４０ａ上に任意の形状で形成される。本実施形態では、反射部４３は、発光パネル１０の第１面１０ａの角部に対向するように、筐体４０の第１面４０ａ上に形成される。
【００５８】
本実施形態によれば、容易に所望形状に発光させることができ、かつ新規な発光を得ることができる発光モジュール及び照明器具が提供される。
【００５９】
以上、具体例を参照しつつ、本発明の実施の形態について説明した。しかし、本発明は、これらの具体例に限定されるものではない。例えば、照明器具に含まれる発光パネル、発光モジュール、基板、発光層、有機層、封止部材、筐体及び反射部などの各要素の具体的な構成に関しては、当業者が公知の範囲から適宜選択することにより本発明を同様に実施し、同様の効果を得ることができる限り、本発明の範囲に包含される。
【００６０】
また、各具体例のいずれか２つ以上の要素を技術的に可能な範囲で組み合わせたものも、本発明の要旨を包含する限り本発明の範囲に含まれる。
【００６１】
その他、本発明の実施の形態として上述した照明器具を基にして、当業者が適宜設計変更して実施し得る全ての照明器具も、本発明の要旨を包含する限り、本発明の範囲に属する。
その他、本発明の思想の範疇において、当業者であれば、各種の変更例及び修正例に想到し得るものであり、それら変更例及び修正例についても本発明の範囲に属するものと了解される。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
１０、１１…発光パネル、  １０ａ…第１面、  １０ｂ…第２面、  １０ｃ、１１ｃ…発光面、  １５…発光モジュール、  ２０…基板、  ２０ａ…第１面、  ２０ｂ…第２面、  ２１…第１電極、  ２２…第２電極、  ２４…封止部材、  ２４ａ…第１面、  ２４ｂ…第２面、  ２５…封止体、  ２６…絶縁膜、  ３０…有機層、  ３１…正孔輸送層、  ３２…発光層、  ３３…電子輸送層、  ４０…筐体、  ４０ａ…第１面、  ４０ｂ…第２面、  ４１…本体部、  ４２…開口部、  ４３…反射部、  ４４…光吸収部、  １００…照明器具
【図１】
2015185603.tif 000003
【図２】
2015185603.tif 000004
【図３】
2015185603.tif 000005
【図４】
2015185603.tif 000006
【図５】
2015185603.tif 000007
【図６】
2015185603.tif 000008